(57)【要約】【課題】多数段の音声処理装置を経由しても信号の劣化が少ない音声伝送システムを提供する。【解決手段】ルーター１に、(1)入力されたアナログ音声信号をデジタル信号に変換するＡＤ変換装置２、(2) デジタル音声信号に種々の処理を加える複数の音声処理装置３、(3) 処理されたデジタル信号を任意のアナログ音声信号に変換して出力するＤＡ変換装置４を接続する。ルーター１に、他の音声処理システム１０に接続される外部端子と、本システムを構成する各機器を制御するコンソール１１を接続する。各装置２，３，４とルーター間で授受する信号を、32Bit浮動小数点フォーマットとする。【選択図】図１
2012042732.tif 000002
【特許請求の範囲】
【請求項１】
入力されたアナログ音声信号をデジタル信号に変換するＡＤ変換装置、複数の音声処理装置、および処理されたデジタル信号を任意のアナログ音声信号に変換して出力するＤＡ変換装置を、ルーターを介して接続し、
前記ＡＤ変換装置、複数の音声処理装置、ＤＡ変換装置およびルーター間で授受する信号を、32Bit浮動小数点フォーマットとしたことを特徴とする音声伝送システム。
【請求項２】
前記ルーターが他の音声処理システムに接続される外部端子を備え、この外部端子から32Bit浮動小数点フォーマットのデジタル信号を出力することを特徴とする請求項１に記載の音声伝送システム。
【請求項３】
前記ルーターに制御用コンソールを接続し、この制御用コンソールからルーターに接続された各装置に制御信号を送信し、また、各装置の状態データをコンソールで受信することを特徴とする請求項１または請求項２に記載の音声伝送システム。
【発明の詳細な説明】
【技術分野】
【０００１】
本発明は、複数の音声処理装置を接続して成る音声伝送システムに関するものである。
【背景技術】
【０００２】
デジタル化された音声信号を伝送するフォーマットとして、ＡＥＳ−３(Audio Engineering Society )、ＳＰＤＩＦ(Sony Philips Digital Interface )などが知られている。また、最近のネットワークオーディオにおいても、同様の伝送方式が採用されている。これらの音声フォーマットでは、オーディオデータは固定小数点方式に変換されて送信される。一般的には、ＣＤフォーマットの制限から16bit/44.1kHzや、より高音質の装置でも24bit/96kHzで送信される。なお、24bitのデータは16bitのデータの256倍の分解能を有する。
【０００３】
他方で、オーディオデータを変換するＡＤあるいはＤＡコンバータについては、32Bit相当の装置が実用化されており、今後もそのビット数が増加する傾向にある。しかし、前記のようにオーディオシステムに使用されているビット数は最大でも24bitであるため、ＡＤあるいはＤＡ変換するためには、24bitの固定小数点フォーマットが必要である。仮に、ＡＤあるいはＤＡコンバータが32Bitなどの高ビット数を使用しても、伝送経路のビット数（最大24Bit）により精度が制限されてしまう。同様なことは、音声調整卓でイコライザなどの音声信号処理を32Bit浮動小数点フォーマットで行う場合にも生じる。
【０００４】
また、特許文献１や特許文献２のように、音声信号処理装置が複数台接続される場合でも、各装置に信号を入出力する度に24bitの固定小数点フォーマットに変換する必要がある。その場合、例えば、下位の数ビットしか使用しないような音声信号を取り扱う場合は、固定小数点に変換されると信号の有効ビット数が小さくなり、次段の信号処理装置で信号処理をした場合に信号歪みが増加して、その品質が低下する。
【先行技術文献】
【特許文献】
【０００５】
【特許文献１】特開２００２−１６９５９７号公報
【特許文献２】特表２００２−５１２７４７号公報
【発明の概要】
【発明が解決しようとする課題】
【０００６】
本発明は前記のような従来技術の問題点を解決するために提案されたものであって、その目的は、複数の音声処理装置を接続した場合において、各装置間における品質の低下が少なく、高品質の音声伝達を可能とした音声伝送システムを提供することにある。
【課題を解決するための手段】
【０００７】
前記の目的を達成するために、本発明の音声伝送システムは、入力されたアナログ音声信号をデジタル信号に変換するＡＤ変換装置、複数の音声処理装置、および処理されたデジタル信号を任意のアナログ音声信号に変換して出力するＤＡ変換装置を、ルーターを介して接続し、前記ＡＤ変換装置、複数の音声処理装置、ＤＡ変換装置およびルーター間で授受する信号を、32Bit浮動小数点フォーマットとしたことを特徴とする。
【０００８】
また、本発明は、次のような実施形態を包含する。
(1)前記複数の音声処理装置の少なくとも一つが、その内部演算精度として32Bit以上の高精度のものである。
(2) ルーターに他の音声処理システムに接続される外部端子を備え、この外部端子から32Bit浮動小数点フォーマットのデジタル信号を出力する。
(3) ルーターに制御用コンソールを接続し、この制御用コンソールからルーターに接続された各装置に制御信号を送信し、また、各装置の状態データをコンソールで受信する。
【発明の効果】
【０００９】
本発明の音声伝送システムでは、ＡＤ変換装置で32Bit浮動小数点フォーマットに変換されたデジタル信号は、ルーターを介して複数の音声処理装置間で常に同一の32Bit浮動小数点フォーマットで授受される。また、音声処理装置で処理されたデジタル信号は、出力用のＤＡ変換装置に対しても同じ32Bit浮動小数点フォーマットで送られる。その結果、ルーターに接続された多数の機器を経由しても、その間で24bit固定小数点フォーマットのような分解能が低いフォーマットに変換されることがなく、高精度の32Bit浮動小数点フォーマットを維持することができ、信号品質が維持される。
【図面の簡単な説明】
【００１０】
【図１】本発明の実施例１の構成を示すブロック図。
【図２】本発明における信号処理の流れを示すブロック図。
【発明を実施するための形態】
【実施例１】
【００１１】
以下、本発明の実施例１の構成を図１に従って具体的に説明する。
【００１２】
図１において、符号１はルーター、２は入力されたアナログ音声信号をデジタル信号に変換するＡＤ変換装置、３は複数の音声処理装置、４は処理されたデジタル信号を任意のアナログ音声信号に変換して出力するＤＡ変換装置である。これらＡＤ変換装置２、複数の音声処理装置３、ＤＡ変換装置４は、前記ルーター１に対してそれぞれ接続されている。さらに、前記ルーター１は、他の音声処理システム１０に接続される外部端子と、本システムを構成する各機器を制御するコンソール１１が接続されている。
【００１３】
前記ルーター１と各機器間で送受信するデジタル信号は、32Bit浮動小数点フォーマットの信号であり、またルーター１の外部端子から他の音声処理システム１０へ出力されるデジタル信号も32Bit浮動小数点フォーマットの信号である。そのため、アナログ音声信号をデジタル信号に変換するＡＤ変換装置２は、入力されるアナログ音声信号をサンプリングしてデジタル信号に変換するにあたり、32Bit浮動小数点フォーマットのデジタル信号を生成する機能を有する。また、ＤＡ変換装置４は、ルーターから配信される32Bit浮動小数点フォーマットのデジタル信号を、例えば、24Bit固定小数点フォーマットの信号に変換して、既存のオーディオシステムに出力する。
【００１４】
前記ルーター１と制御用コンソール１１との間では、制御用コンソール１１からルーター１に接続された各装置２，３，４に対して送信する制御信号、あるいは各装置２，３，４の状態をコンソールで確認するための制御信号が送受される。なお、この制御信号は、ルーター１によって配信されるデジタル音声信号とは異なるフォーマットの信号であっても良い。
【００１５】
ルーター１に接続された各音声処理装置３は、放送局で使用される音声調整卓やその他のオーディオ機器で使用されるイコライザ、エフェクター、アンプ等が使用できる。この場合、各音声処理装置３は、必ずしも32Bit浮動小数点フォーマットの信号を処理するものでなくても良い。より高精度の信号を処理するものでも良いが、その場合は、各音声処理装置３の入出力部分に、32Bit浮動小数点フォーマットの信号とより高精度の信号とを変換する変換装置を設ける必要がある。なお、各音声処理装置として、従来汎用されている24Bit固定小数点フォーマットの信号を処理するものは、信号劣化が生じることから不適当である。
【００１６】
前記のような構成を有する実施例１の作用効果を図２（Ａ）（Ｂ）により説明する。
図２（Ａ）は従来の技術を示すもので、入出力機器であるＡＤ変換装置２とＤＡ変換装置４の夫々が、24Bit固定小数点フォーマットの信号を生成あるいは出力する。そのため、各入出力機器２，３と、ルーター１との間の伝送フォーマットも24Bit固定小数点である。この従来の技術では、各信号処理装置３が32Bit浮動小数点フォーマットなどの高精度の処理を行うことが可能でも、各信号処理装置３の入出力部では、24Bit固定小数点フォーマットの信号とより高精度の信号との変換処理が必要になる。その結果、図２（Ａ）のように多数段の信号処理装置３を経由した場合には、処理されるデジタル信号の劣化が避けられない。
【００１７】
一方、本実施例のシステムでは、入出力機器であるＡＤ変換装置２とＤＡ変換装置４の夫々が、32Bit浮動小数点フォーマットの信号を生成あるいは出力し、しかもそのフォーマットで各機器とルーター間で信号を授受する。その結果、図２（Ｂ）のように音声処理装置３を多数段経由しても、デジタル信号の劣化がなく、種々の処理を加えても出力される信号の高品質を維持できる。
【符号の説明】
【００１８】
１…ルーター
２…ＡＤ変換装置
３…音声処理装置
４…ＤＡ変換装置
１０…他の音声処理システム
１１…コンソール
【図１】
2012042732.tif 000003
【図２】
2012042732.tif 000004